(57)【要約】      （修正有）【課題】拭き布の取付作業が容易で、送り作業によっても拭き布がたるまない、順次送って拭き布の拭き取り面を変える清掃用具を提供すること。【解決手段】清掃用具１は、棒状のハンドル部材２と、多角柱形状の拭き布台３０と、ハンドル部材の前面側に位置する第１狭持部材２０と、背面側に位置する第２狭持部材２５と、を備えている。拭き布台は、柱軸がハンドル部材の伸延方向に略直交し、かつ、柱軸を中心に回転可能に、取り付けられている。ハンドル部材は、長手方向にそれぞれ伸延する第１ガイド６と第２ガイド（背面）とを有している。第１狭持部材は、拭き布台と略平行に延び、第１ガイドに沿ってスライド可能である。第２狭持部材は、拭き布台と略平行に延び、第２ガイドに沿ってスライド可能である。【選択図】図１
2008012154.tif 000002
【特許請求の範囲】
【請求項１】
拭き布を順次送って拭き取り面を変える清掃用具であって、
棒状のハンドル部材と、
多角柱形状の拭き布台と、
該ハンドル部材の前面側に位置し、拭き布を狭持できる第１狭持部材と、
該ハンドル部材の背面側に位置し、拭き布を狭持できる第２狭持部材と、を備え、
該拭き布台は、柱軸がハンドル部材の伸延方向に略直交するように、かつ、柱軸を中心に回転可能なように、該ハンドル部材の先端近傍に取り付けられており、
該ハンドル部材は、長手方向にそれぞれ伸延する第１ガイドと第２ガイドとを有し、
該第１狭持部材は、該拭き布台と略平行に延びるとともに、該第１ガイドに沿ってスライド可能であって、
該第２狭持部材は、該拭き布台と略平行に延びるとともに、該第２ガイドに沿ってスライド可能である、清掃用具。
【請求項２】
ひも状の連結部材をさらに備え、
該ハンドル部材は、該両ガイドの上方に前面側から背面側へ貫通する通し孔を有し、
該連結部材は、該通し孔を通り、該第１狭持部材と該第２狭持部材とを連結する、
請求項１記載の清掃用具。
【請求項３】
該拭き布台の形状が三角柱形状である、請求項１または２記載の清掃用具。
【発明の詳細な説明】
【技術分野】
【０００１】
本発明は、拭き布を順次送って、拭き布の拭き取り面を変えることができる清掃用具に関する。
【背景技術】
【０００２】
従来、床面等を掃除するための掃除用具として、棒状のハンドル部の先端に板状の拭き布台が取り付けられたものがある。この掃除用具は、拭き布台に専用の拭き布を取り付けて使用されるが、拭き布が汚れる度に交換作業が必要であった。また、この専用の拭き布は使い捨てであって、さらに、拭き布の端部付近は構造的に床面等に接しない場合も多かった。そのため、この清掃用具は、掃除中の作業面及びコスト面に問題があった。
【０００３】
これに対して、専用の拭き布ではなく、汎用のタオルを拭き布として使用する清掃用具が提案されている（特許文献１参照）。この清掃用具は、前後に２つの軸を有しており、それぞれが回転するように構成されている。それぞれの軸に拭き布の両端を巻付け、軸を回転させれば、拭き布の拭き取り面を順次送ることができる。この清掃用具によれば、新しい拭き布への交換を頻繁に行う必要もなく、拭き布全体を無駄なく使用することができ、専用の拭き布も必要ない。よって、この清掃用具は、掃除中の作用面及びコスト面に優れた清掃用具といえる。
【特許文献１】実用新案登録第３０４２２３７号公報
【発明の開示】
【発明が解決しようとする課題】
【０００４】
ところが、上記の清掃用具を使用する前に必要となる拭き布を軸に巻付けるという作業は、手作業で行わなければならず、時間がかかってしまうという問題があった。また、拭き布が巻付けられた２つの軸の回転速度は、拭き布の巻数等によって別々に制御しなければ、拭き布がたるんでしまうという問題があった。
【０００５】
そこで本発明は、上記拭き布を順次送って拭き布の拭き取り面を変える清掃用具の優れた点を維持しつつ、拭き布の取付作業が容易で、送り作業により拭き布がたるまない清掃用具を提供することを課題とする。
【課題を解決するための手段】
【０００６】
上記課題を解決するため、本願発明にかかる清掃用具は、拭き布を順次送って拭き取り面を変える清掃用具であって、棒状のハンドル部材と、多角柱形状の拭き布台と、該ハンドル部材の前面側に位置し、拭き布を狭持できる第１狭持部材と、該ハンドル部材の背面側に位置し、拭き布を狭持できる第２狭持部材と、を備え、該拭き布台は、柱軸がハンドル部材の伸延方向に略直交するように、かつ、柱軸を中心に回転可能なように、該ハンドル部材の先端近傍に取り付けられており、該ハンドル部材は、長手方向にそれぞれ伸延する第１ガイドと第２ガイドとを有し、該第１狭持部材は、該拭き布台と略平行に延びるとともに、該第１ガイドに沿ってスライド可能であって、該第２狭持部材は、該拭き布台と略平行に延びるとともに、該第２ガイドに沿ってスライド可能である（請求項１）。
【０００７】
かかる構成によれば、拭き布を広げた状態で第1狭持部材と第２狭持部材に固定することができる。また、第1狭持部材と第２狭持部材は、拭き布を狭持した状態で、それぞれスライドすることができる。
【０００８】
また、上記清掃用具において、ひも状の連結部材をさらに備え、該ハンドル部材は、該両ガイドの上方に前面側から背面側へ貫通する通し孔を有し、該連結部材は、該通し孔を通り、該第１狭持部材と該第２狭持部材とを連結するようにしてもよい（請求項２）。かかる構成によれば、第１狭持部材と第２狭持部材とが連動して動くことができる。これにより、拭き布の両端部の位置関係を一定にすることができる。
【０００９】
また、上記清掃用具において、該拭き布台の形状が三角柱形状となるようにしてもよい（請求項３）。かかる構成によれば、他の多角柱形状に比べ、側面の１面あたりの面積を大きくすることができる。
【発明の効果】
【００１０】
本願発明にかかる清掃用具によれば、拭き布を広げた状態で拭き布を第1狭持部材と第２狭持部材に固定することができる。よって、拭き布の取付作業を簡単に行うことができる清掃用具を提供することができる。また、本願発明にかかる清掃用具によれば、第1狭持部材と第２狭持部材は、拭き布を狭持した状態で、それぞれスライドすることができる。よって、送り作業によっても拭き布がたるまない清掃用具を提供することができる。
【発明を実施するための最良の形態】
【００１１】
本願発明にかかる清掃用具を実施するための最良の形態について、図を参照しつつ以下に説明する。
【００１２】
まず、図１〜３を参照し、本実施形態にかかる清掃用具１の構成について説明する。図１は本実施形態に係る清掃用具を示す図であって、（ａ）は正面図であり、（ｂ）は側面図である。
【００１３】
図１に示すように、本実施形態にかかる清掃用具１は、ハンドル部材２と、拭き布台３０と、第１狭持部材２０と、第２狭持部材２５と、連結部材３５と、を備えている。以下、各構成について説明する。
【００１４】
ハンドル部材２は、全体として棒状の形状を有しており、基端部分３と本体部分４と先端部分８とに分けることができる。基端部分３は、使用者が握る部分であって、他の部分に比べ太く丸みを帯びた形状を有している。基端部分３の表面には樹脂材が使用されており、使用者が持ちやすいようになっている。なお、基端部分３を使用者側に傾けるように構成し、持ちやすいようにしてもよい。
【００１５】
ハンドル部材２の本体部分４は直線状に延びており、本体部分４の断面は略四角形である。本体部分４の長さは使用目的に応じて決められるが、本実施形態では、使用者が立ったまま床面の拭き掃除を行えるように、本体部分４の長さは１メートル弱としている。なお、本体部分４は、伸縮するようにしてもよい。本体部分４の前面側と背面側には、それぞれ長手方向に伸延する第１ガイド６と第２ガイド７とが形成されている（図３参照）。第１ガイド６と第２ガイド７は、本体部分４に施された断面がＴ字状の溝である（図３参照）。また、本体部分４は、両ガイド６、７の上方に通し孔５を有している。図２は、通し孔５付近の拡大図である。図２に示すように、本体部分４は貫通孔１０を有しており、貫通孔１０は前面側から背面側へ貫通し、かつ、長手方向に延びている。貫通孔１０には円筒状のスリーブ部材９がはめ込まれており、スリーブ部材９の内部が通し孔５を形成している。スリーブ部材９は貫通孔１０内を上下に移動することができ、図示しない固定部材によって、貫通孔１０内の任意の位置で固定することができる。つまり、通し孔５の上下位置は、調整することが可能である。
【００１６】
ハンドル部材２の先端部分８は、本体部分４から２つに分岐しており、本体部分４の伸延方向を中心として、左右対称となっている。先端部分８は、それぞれ左右へ延びた後、本体部分４の伸延方向と同方向に延び、さらに互いに向き合う方向に延びている。つまり、ハンドル部材２の先端部分８は、本体部分４（ハンドル部材２）の伸延方向に略直交する軸を形成している。
【００１７】
拭き布台３０は、三角柱の形状を有しており、左右の両端面で柱軸上に軸受部を有し、ハンドル部材２の先端部分８を受けている。換言すれば、拭き布台３０は、柱軸がハンドル部材２の伸延方向に略直交しており、ハンドル部材２の先端部分８で回転可能に枢支されている。これにより、拭き布台３０は、柱軸を中心として回転することができる。なお、拭き布台３０は、他の構成部材に比べ比重が高く、重くなっている。さらに、左右の両端面を除く拭き布台３０の表面は、クッション材等の柔らかい素材で覆われている。
【００１８】
第１狭持部材２０と第２狭持部材２５は、それぞれハンドル部材２の前面側と背面側に位置し、拭き布台３０と略平行に延びている。両狭持部材２０、２５は、左右にクリップ状の狭持部２２、２７を有している。狭持部２２、２７は、摘むことで簡単に拭き布を挟んで固定することができる。なお、本実施形態では、両狭持部材２０、２５はクリップ状の狭持部２２、２７を有しているが、拭き布を固定できるものであれば、単に拭き布を引っ掛ける構造等どのような構造であっても良い。また、両狭持部材２０、２５は、中央付近上方に系合部２３、２８を有している。係合部２３、２８には孔が施されており、この孔に連結部材３５を通すことができる。さらに、両狭持部材２０、２５は、断面がＴ字状のキー部２４、２９を有している。図３は、ハンドル部２と両狭持部材２０、２５の横断面図であって、第１狭持部材２０と第２狭持部材２５が同じ高さ位置にある状態の図である。図３に示すように、第１ガイド６と第２ガイド７の断面形状と、両狭持部のキー部２４、２９の断面形状は、いずれもＴ字状となっており、両狭持部のキー部２４、２９は第１ガイド６と第２ガイド７にはめ込まれている。これにより、両狭持部材２０、２５は、第１ガイド６と第２ガイド７に沿ってスライドすることができる。なお、両狭持部材２０、２５と両ガイド６、７の間にローラを取り付け、両狭持部材２０、２５が滑らかにスライドできるようにしてもよい。
【００１９】
連結部材３５は、ひも状の部材であって、第１狭持部材２０と第２狭持部材２５とを連結する役割を有する。図１に示すように、連結部材３５は、通し孔５を通り、該第１狭持部材２０の係合部２３と該第２狭持部材２５の係合部２８に係合されている。このようにして、第１狭持部材２０と第２狭持部材２５とは連結される。これにより、両狭持部材２０、２５が一定の位置関係で連動して動くことになる。例えば、第１狭持部材２０が下にスライドすると、連結部材３５を介して第２狭持部材２５が引き上げられ、第１狭持部材２０が上にスライドすると、連結部材３５に拘束されながら第２狭持部材２５が下にスライドする。以上、図１〜３を参照し、本実施形態にかかる清掃用具１の構成について説明した。
【００２０】
次に、図４を参照し、本実施形態にかかる清掃用具１の使用方法について説明する。具体的には、拭き布の取り付け方法、清掃方法、拭き布の送り方法について説明する。図４は、拭き布Ｆを取り付けた状態の清掃用具１の斜視図である。拭き布Ｆは、埃を吸着させるような特別な素材でつくられた布であっても良いが、本実施形態では市販されているタオルを使用する。
【００２１】
拭き布Ｆを清掃用具１に取り付けるには、まず、通し孔５を下方に位置させる。具体的には、スリーブ部材９を貫通孔１０の最下位に位置させ、固定手段により固定する（図２参照）。その後、第１狭持部材２０で拭き布Ｆの一端を挟み込む。さらに、拭き布Ｆを拭き布台３０の底に回り込ませ、拭き布Ｆの他端を第２狭持部材２５で挟み込む。両狭持部材２０、２５は、クリップ状の狭持部２２、２７により、容易に拭き布Ｆを固定することがことができる。その後、通し孔５を引き上げて、拭き布Ｆが拭き布台３０の表面上にしっかり張った状態で固定する。なお、拭き布Ｆが短い場合や、長い場合は、連結部材３５の長さを調整しても良い。以上の手順で拭き布Ｆを掃除用具１に取り付けることができ、図４に示したような状態になる。このように、拭き布Ｆを掃除用具１に取り付ける取付作業は、軸に巻付けたりする等の手間を必要とせず、容易に行うことができる。
【００２２】
本実施形態にかかる清掃方法は、従来の清掃用具を用いた場合とほぼ同じ方法である。具体的には、拭き布Ｆの拭き布台３０の表面に張った部分（拭き取り面）を床に当て、前後に動かすことにより、床の拭き掃除を行うことができる。つまり、拭き布台３０を回転させるのではなく、拭き布台３０を床面で滑らせるようにして掃除を行う。拭き布台３０は三角柱の形状を有しているため、他の多角柱に比べ１つの側面の面積は大きい。そのため、清掃作業も効率的に行え、清掃に必要以上の時間がかかる等の問題は生じない。なお、拭き布台３０の表面は柔らかいため、床面の凹凸を吸収でき、拭き布Ｆと床面とが片当たりするのを防止することができる。さらに、拭き布台３０は比較的重くなっているため、安定した状態で拭き布台３０を操作することができる。
【００２３】
拭き布Ｆを送る場合は、連結部材３５の前面側を引き上げ（矢印Ａ）、第１狭持部材２０を上方にスライドさせる（矢印Ｂ）。第１狭持部２０が上方にスライドすると（矢印Ｂ）、拭き布Ｆが第１狭持部材に引き上げられ、拭き布を狭持する第２狭持部２５が下方にスライドする（矢印Ｃ）。このとき、第２狭持部材２５は、第１狭持部材２０に連結部材３５を介して結合しているため、拭き布Ｆは一定の張力を保ったままスライドする。張力を維持したまま拭き布Ｆがスライドするため、拭き布台３０は拭き布Ｆから回転力を受けて回転する（矢印Ｄ）。そうすると、回転前とは互いに異なる部分で拭き布Ｆと拭き布台３０が雪面する。すなわち、拭き布Ｆの拭き取り面は、使用済の面から未使用の面に変更される。このように、連結部材３５を引き上げることで、簡単に拭き布Ｆの送り作業を行うことができる。また、拭き布Ｆを一定の張力を保った状態で送ることができる。なお、拭き布Ｆを掃除用具１に取り付ける段階で、拭き布Ｆのできるだけ端部を拭き布台３５に接するように取り付ければ、効率よく拭き布Ｆを使用することができる。以上が、本実施形態にかかる清掃用具１の使用方法である。
【００２４】
以上、本願発明にかかる清掃用具１を実施するための最良の形態について説明した。以上では、ハンドル部材２の先端部分８が拭き布台３０を左右から保持する場合について説明したが、これに代えて、図５のように、拭き布台３０を左右に分割し、その間に軸を形成し、ハンドル部材２の先端がこの軸を受けるように構成してもよい。かかる構成によれば、掃除用具１の左右の幅が小さくなり、清掃用具１を上記実施形態よりもコンパクトな構成とすることができる。
【産業上の利用可能性】
【００２５】
本発明によれば、拭き布の取付作業が簡単で、送り作業も簡単な清掃用具を提供することができる。よって、清掃用具の技術分野において有益である。
【図面の簡単な説明】
【００２６】
【図１】本実施形態に係る清掃用具を示す図であって、（ａ）は正面図であり、（ｂ）は側面図である。
【図２】本実施形態に係る掃除用具に施された通し孔付近の拡大図である。
【図３】本実施形態に係る清掃用具のハンドル部と両狭持部材の横断面図であって、第１狭持部材と第２狭持部材が同じ高さ位置にある状態の図である。
【図４】本実施形態に係る清掃用具に拭き布を取り付けた状態の斜視図である。
【図５】本願発明にかかる清掃用具の他の実施形態を示す図であって、（ａ）は正面図であり、（ｂ）は側面図である。
【符号の説明】
【００２７】
１  掃除用具
２  ハンドル部
５  通し孔
６  第１ガイド
７  第２ガイド
２０  第１狭持部
２５  第２狭持部
３０  拭き布台
３５  連結部材
【図１】
2008012154.tif 000003
【図２】
2008012154.tif 000004
【図３】
2008012154.tif 000005
【図４】
2008012154.tif 000006
【図５】
2008012154.tif 000007